(57)【要約】【課題】被包装物に専用のトレイを用いることなく被包装物を固定できるようにする。【解決手段】被包装物１００が配置された緩衝機構２０１を備えたトレイ２００を、熱収縮した熱収縮フィルム３００で被覆する。【選択図】図１
2017132474.tif 000002
【特許請求の範囲】
【請求項１】
被包装物が配置された緩衝機構を備えたトレイが、熱収縮した熱収縮フィルムで被覆されている包装体。
【請求項２】
前記トレイは板状のトレイであり、前記被包装物が配置される配置面に複数の凹状の緩衝機構を備える請求項１に記載の包装体。
【請求項３】
前記トレイは、前記配置面に複数の逆円錐台形状の凹状の緩衝機構及び複数の四角柱形状の凹状の緩衝機構のいずれかを備える請求項２に記載の包装体。
【請求項４】
前記トレイは、前記複数の凹状の緩衝機構の個数及び寸法のいずれかの調整により剛性が変化する請求項２に記載の包装体。
【請求項５】
前記トレイがパルプモールド製又は樹脂製である請求項１に記載の包装体。
【発明の詳細な説明】
【技術分野】
【０００１】
本発明は、物品の包装に関する。
【背景技術】
【０００２】
包装は物品を輸送、保管時の外力から保護するために必要である。万が一包装に衝撃が加わった時でも、包装が緩衝作用を有していれば、物品に衝撃が加わらずに保護することが可能である。
特許文献１では、トレイ状の緩衝構造体と物品を固定するための熱収縮フィルムを組み合わせた包装が開示されている。
熱収縮フィルムを用いた物品の固定方法は、熱を加えることによってフィルム自体が収縮し被包装物の形状にフィットするため、あらかじめ被包装物の形状を考慮しなくてもよいメリットがある。
トレイの上に物品を載せ、その周囲を熱収縮フィルムで軽く巻き、フィルムに対して熱風を与える。すると、フィルムの自己溶着性と収縮性により、被包装物に密着してゆく。加熱を止めしばらくすると、フィルムは冷え、収縮した状態を保つため、物品を固定することができる。
【先行技術文献】
【特許文献】
【０００３】
【特許文献１】特開２００１−１５１２６６号公報
【発明の概要】
【発明が解決しようとする課題】
【０００４】
しかしながら特許文献１によれば、トレイ状の緩衝構造体は、被包装物の形状に合わせる必要があるため、物品ごとに設計、製造する必要がある。従って物品ごとに専用トレイを製造するために金型をそれぞれ準備しなければならず、製造、管理コストがかかるという課題がある。
【０００５】
この発明はかかる課題を解決することを主な目的としており、被包装物に専用のトレイを用いることなく被包装物を固定できるようにすることを主な目的とする。
【課題を解決するための手段】
【０００６】
本発明に係る包装体は、
被包装物が配置された緩衝機構を備えたトレイが、熱収縮した熱収縮フィルムで被覆されている。
【発明の効果】
【０００７】
本発明では、緩衝機構を備えたトレイに被包装物を配置し、被包装物とトレイとを熱収縮した熱収縮フィルムで被覆するため、専用トレイを用いることなく被包装物を固定することができる。
【図面の簡単な説明】
【０００８】
【図１】実施の形態１の包装体を示す図。
【図２】実施の形態１の包装体を箱に入れた状態を示す図。
【図３】実施の形態１の包装体及び箱の分解状態を示す図。
【図４】実施の形態１のトレイの断面図。
【図５】実施の形態２の包装体を示す図。
【図６】実施の形態３の包装体を示す図。
【発明を実施するための形態】
【０００９】
実施の形態１．
図１は、実施の形態１における包装体を示す図である。図２は、図１の包装体を箱に入れた状態を示す図である。図３は、図２の包装体及び箱の分解状態を示す図である。図４はトレイ２００の断面図である。
【００１０】
初めに図１を参照して包装体を説明する。
物品１００は被包装物である。トレイ２００は、緩衝機構を有する、物品の形状に依らない板状のトレイである。すなわち、トレイ２００は、物品１００の専用トレイではなく、物品１００以外の物品にも使用可能である。熱収縮フィルム３００は、熱収縮するフィルムである。すなわち、熱収縮フィルム３００は、加熱時に収縮する。この熱収縮フィルム３００の材料には、例えば低密度ポリエチレン、ポリプロピレン、エチレン、酢酸ビニル共重合体などが使用可能である。
図１に示すように、物品１００がトレイ２００に配置された状態で、熱収縮フィルム３００が物品１００及びトレイ２００を被覆することにより物品１００が熱収縮フィルム３００によってトレイ２００上に固定される。
トレイ２００には、物品１００が配置される配置面に緩衝機構２０１が存在する。衝撃外力が加わった際、緩衝機構２０１が変形することによって落下エネルギーを吸収し、緩衝性能を発揮する。このトレイ２００の材料には、例えばパルプモールドやポリプロピレンといった樹脂などが使用可能である。
【００１１】
図２を説明する。
図１の包装体を箱４００に入れて包装が完成する。その際、箱４００内部で物品１００とトレイ２００を動かないように固定する。例えば、図１の底部の熱収縮フィルム３００と箱４００の内底をホットメルト等で接着する。こうすれば、輸送外力等により箱４００の中で物品１００、トレイ２００が動くことはない。箱４００の材料には例えば段ボールなどがある。
【００１２】
図３は図２の分解図である。
物品１００の包装構成要素は、トレイ２００、熱収縮フィルム３００、箱４００であり、少ない構成要素で包装を成すことができる。なお、図３では熱収縮フィルム３００の図示は省略している。
トレイ２００は物品１００を配置する配置面に複数の凹状の緩衝機構２０１を有している。本例では、緩衝機構２０１は小径部分が底面方向を向いた逆円錐台形状としている。この緩衝機構２０１の上に物品１００を載せる。トレイ２００の寸法範囲内であれば、様々な寸法の物品の包装が可能である。トレイ２００の上に物品１００を載せ、熱収縮フィルム３００を収縮させて、物品１００とトレイ２００と密着させるだけなので、物品形状によらず汎用的な緩衝包装構造を提供できる。トレイ２００の断面２０２での断面図を図４に示す。
【００１３】
図４はトレイ２００の断面２０２における断面図である。断面はハッチングで示している。物品１００は配置面５０１に置く。また逆円錐台形の緩衝機構２０１の小径部の端は、トレイ底部５０２と同一面上にある。
【００１４】
以上、図１から４に示す構成要素によって、汎用的な緩衝包装構造を得ることが可能である。
【００１５】
実施の形態２．
【００１６】
図５にトレイの緩衝機構２０１の逆円錐台の径を変更した図を示す。トレイ６００の緩衝機構６０１の径は、トレイ２００の緩衝機構２０１の径より大きい。詳細を以下に説明する。
【００１７】
物品の形状に依らないトレイを用いて物品の緩衝を行う場合、当該トレイは必ずしも最適な緩衝性能を発揮するとは限らない。例えば、トレイ２００に軽量の物品を載せた場合を考える。この場合、物品が軽量であるため、緩衝機構２０１に加わる落下衝撃力が低いことによって、緩衝機構２０１が変形しないかもしれない。緩衝機構２０１が変形しなければ、緩衝効果を得ることができないため、軽量の物品に加わる衝撃力が高まって、最悪の場合破損に至ることが考えられる。
【００１８】
このような問題を回避するためには、トレイの緩衝機構２０１の剛性を下げて、弱い衝撃力でも緩衝機構２０１部が変形するようにするのがよい。
従って、図５に示す緩衝機構６０１のように円錐台の径を大きくとり、同一面積あたりの円錐台の数を減らせば、トレイ２００よりも剛性が低くなるため、緩衝性能を変更することが可能となる。
つまり、緩衝機構２０１の円錐台の径が異なるトレイをあらかじめ用意しておき、物品の重量や接触面積に応じてトレイを選定することによって、この問題を解決することができる。
【００１９】
本実施の形態の例では、緩衝機構２０１及び緩衝機構６０１は円錐台形状としているが、緩衝機構の形状は円錐台に限らない。例えば四角柱形状であってもよい。その場合に緩衝性能を変更するときは、円錐台の周長の代わりに四角柱の周長を変更すればよい。
【００２０】
トレイの緩衝性能を変更するのは、円錐台部の径だけでなく、円錐台の数によっても変更することができる。物品に接する円錐台の数が少なければ、相対的に剛性が低くなるからである。
【００２１】
実施の形態３．
【００２２】
図６に具体的な物品が積載された状態の一例を示す。物品１０１は半導体パワーモジュールを示す。
【００２３】
半導体パワーモジュールは内部に基板、配線を有しており、衝撃に弱い。また半導体パワーモジュールは、様々な物品に取り付けられるため、形状、寸法のバリエーションが多い。そのため、バリエーション毎の包装が必要となり、包装資材管理の手間が増える。
【００２４】
このような特徴を持つ半導体パワーモジュールには、本明細書で示す包装を使用するのがよい。図６に示すように、半導体パワーモジュールの背面は金属平板となっており、半導体パワーモジュールを構成する部品の中で剛性が高い部分である。この部分をトレイ２００上に接するように置き、熱収縮フィルム３００で固定する。
図６の例では、物品の平滑な部分をトレイ２００と接するように置いているが、物品自体に加わるトレイ２００からの衝撃反力に対する物品強度があれば、トレイ２００と接するのは平滑な部分でなくてもよい。
【００２５】
以上、実施の形態１から３において、緩衝機能を有する包装体を説明した。実施の形態で挙げた物品形状は平面を有する直方体であるが、物品の衝撃強度が高ければ、これを限定するものではない。
【符号の説明】
【００２６】
１００  物品、１０１  物品、２００  トレイ、２０１  緩衝機構、２０２  断面、３００  熱収縮フィルム、４００  箱、５０１  配置面、５０２  トレイ底部、６００  トレイ、６０１  緩衝機構。
【図１】
2017132474.tif 000003
【図２】
2017132474.tif 000004
【図３】
2017132474.tif 000005
【図４】
2017132474.tif 000006
【図５】
2017132474.tif 000007
【図６】
2017132474.tif 000008